(57)【要約】【課題】端末機がサポートしないフォントのメッセージを受信しても、これを文字列又はイメージとして表示することにより、ユーザが当該メッセージを確認することができる移動通信端末機を提供する。【解決手段】この移動通信端末機の文字列処理方法は、端末機にメッセージが受信されると該受信メッセージを格納した後、表示部に表示し、該表示メッセージがブランクとして処理された部分を含んでいると、該メッセージをＰＣに転送して前記ブランクとして処理されたフォントをユニコードに該当する文字列として表示し、またイメージファイルに変換する段階を含む。【選択図】図２
2006164272.tif 000002
【特許請求の範囲】
【請求項１】
受信されたメッセージを格納するメモリと、
前記格納されたメッセージを表示する表示部と、
前記受信されたメッセージの表示が不可能である場合、コンピュータに接続して前記メッセージのイメージファイル転送を要求し、これに応じ転送されたイメージファイルを保存して表示部に表示するように制御する制御部と、
を含むことを特徴とする移動通信端末機。
【請求項２】
前記制御部は、前記受信されたメッセージに表示不可能な部分が存在するか否かを確認することを特徴とする請求項１に記載の移動通信端末機。
【請求項３】
前記制御部は、前記表示が不可能なメッセージを前記コンピュータに転送するように制御することを特徴とする請求項１に記載の移動通信端末機。
【請求項４】
前記制御部は、前記コンピュータから受信されたイメージファイルを前記メモリに格納することを特徴とする請求項１に記載の移動通信端末機。
【請求項５】
前記制御部は、前記コンピュータから受信されたイメージファイルを前記表示部に表示することを特徴とする請求項１に記載の移動通信端末機。
【請求項６】
前記イメージファイルは、前記表示部に表示不可能なメッセージが変換されたものであることを特徴とする請求項１に記載の移動通信端末機。
【請求項７】
前記イメージファイルは、マルチメディアメッセージングサービス及び電子メールを利用して相手に転送可能であることを特徴とする請求項１に記載の移動通信端末機。
【請求項８】
前記コンピュータは、前記表示不可能なメッセージをイメージファイルに変換するプログラムを格納することを特徴とする請求項１に記載の移動通信端末機。
【請求項９】
メッセージを受信する受信過程と、
前記受信されたメッセージを表示する表示過程と、
前記受信されたメッセージの表示が不可能である場合、前記表示不可能なメッセージのイメージファイルの転送を要求する要求過程と、
これに応じ転送されてきたイメージファイルを表示する表示過程と、
を含むことを特徴とする移動通信端末機のメッセージ受信方法。
【請求項１０】
前記要求過程は、前記受信されたメッセージに表示不可能な部分が存在するか否かを確認する過程を含むことを特徴とする請求項９に記載の移動通信端末機のメッセージ受信方法。
【請求項１１】
前記要求過程は、前記表示不可能な部分が含まれていると、前記受信されたメッセージをコンピュータ装置に転送し、該コンピュータ装置を利用して変換されたイメージファイルを受信する過程を含むことを特徴とする請求項９に記載の移動通信端末機のメッセージ受信方法。
【請求項１２】
前記イメージファイルを表示する表示過程は、前記イメージファイルをメモリに格納し、表示部に表示する過程を含むことを特徴とする請求項９に記載の移動通信端末機のメッセージ受信方法。
【請求項１３】
前記受信されたイメージファイルは、前記表示不可能なメッセージが変換されたものであることを特徴とする請求項９に記載の移動通信端末機のメッセージ受信方法。
【請求項１４】
前記イメージファイルは、マルチメディアメッセージングサービス及び電子メールを利用して相手に転送されることを特徴とする請求項９に記載の移動通信端末機のメッセージ受信方法。
【請求項１５】
前記コンピュータ装置は、前記表示不可能なメッセージをイメージファイルに変換するプログラムを格納することを特徴とする請求項１１に記載の移動通信端末機のメッセージ受信方法。
【発明の詳細な説明】
【技術分野】
【０００１】
本発明は、移動通信端末機に関し、特に、移動通信端末機に受信されたメッセージを処理する移動通信端末機のメッセージ処理技術に関する。
【背景技術】
【０００２】
一般に、移動通信（移動体通信）サービス事業者（キャリア）は、ユーザに、無線インターネットの接続、文字メッセージ及びマルチメディアメッセージの転送、そしてモバイルオンラインゲームなどのサービスを提供し、移動通信端末機の製造業者は、電話帳（Phone-book）、メモ帳、メール作成、及びスケジューラ機能などのようなサービスを開発して提供する。
【０００３】
これらサービスのうち文字メッセージサービスは、単純に移動通信端末機（以下、端末機とも称する）を利用する入力方法だけでなく、パーソナルコンピュータ（Personal Computer：ＰＣ）により多様な特殊文字、記号などを作成したり、既存のショートメッセージを編集して転送する例が増加され、また、インターネットポータルサイトは、多様なメッセージフォーム及び記号などを無料で提供するため、ユーザは、既に定義された文字及び記号以外に多様な特殊文字が含まれたショートメッセージを転送できる。
【０００４】
このように、端末機で交換されるショートメッセージだけでなく、ＰＣにより送信されたショートメッセージを受信して画面に表示する場合、端末機は、受信されたメッセージの文字に、端末機に予め格納されているフォントに該当しない文字セット（Character Set）を含む場合は、該文字セットをブランクとして処理し、当該ブランクとして処理されたメッセージを後で確認するために一時格納する。このとき、ブランクとして処理された該当メッセージは、保存しておいたとしてもブランクなので確認する方法がなかった。
【発明の開示】
【発明が解決しようとする課題】
【０００５】
本発明の目的は、端末機に受信されたメッセージが端末機のサポートしないフォントのメッセージである場合、ＰＣ同期（PC Sync）プログラムを利用して該当フォントをユニコード文字列として表示し、また、イメージファイルに変換することで、ユーザが端末機でサポートしていないフォントのメッセージを確認し得る移動通信端末機とそのメッセージ受信方法を提供することにある。
【課題を解決するための手段】
【０００６】
このような目的を達成するために本発明に係る移動通信端末機は、受信されたメッセージを格納するメモリと、その格納されたメッセージを表示する表示部と、前記受信されたメッセージの表示が不可能である場合、コンピュータと接続して当該メッセージのイメージファイルの転送を要求し、これに応じ転送されたイメージファイルを保存して表示部に表示するように制御する制御部と、を含むことを特徴とする。
【０００７】
また、このような目的を達成するために本発明に係る移動通信端末機の文字列処理方法は、メッセージを受信する受信過程と、該受信されたメッセージを表示する表示過程と、前記受信されたメッセージの表示が不可能である場合、当該表示不可能なメッセージのイメージファイルの転送を要求する要求過程と、これに応じて転送されてきたイメージファイルを表示する表示過程と、を含むことを特徴とする。
【０００８】
好ましくは、このような端末機は、変換されたイメージファイルをマルチメディアメッセージングサービス（ＭＭＳ）及び電子メールを使用して相手に転送することを特徴とする。
【発明の効果】
【０００９】
本発明は、端末機にサポートできないフォントの文字セットを含むメッセージが受信された場合、ＰＣ同期プログラムを利用してそのメッセージをイメージファイルに変換することで、サポートできないフォントの文字セットを含むメッセージをより効率的に確認し得るという効果がある。
【発明を実施するための最良の形態】
【００１０】
以下、添付の図面に基づいて本発明の好ましい実施形態を説明する。
【００１１】
本発明の基本概念は、端末機に、サポートできないフォントの文字セットを含むメッセージが受信された場合、ＰＣ同期プログラムを利用して端末機によりメッセージを確認でき、さらに、当該メッセージをイメージファイルに変換して確認できるように処理する仕組みを提供するというものである。
【００１２】
図１は、本発明に係る移動通信端末機のメッセージ受信機能に関連した装置を示すブロック図である。
【００１３】
端末機１００は、アンテナ（図示せず）を介して入力される音声、映像及びメッセージのようなデータを受信する受信部１０と、該受信部１０に入力されるメッセージを格納及び管理し、ＰＣ同期プログラムによる受信要求の命令に従って、格納されたメッセージの出力を制御する制御部２０と、ユーザにより入力される多数の機能選択キー、スクロールキー、数字及び文字キーなどを含むキーパッド５０と、受信部１０及びＵＳＢポート（Universal Serial Bus port）６０から入力されるメッセージを格納するメモリ３０と、制御部２０の表示制御信号によって各種メニュー、文字セット及びイメージファイルを画面に表示する表示部４０と、端末機１００及びＰＣ２００をＵＳＢケーブルにより接続するＵＳＢポート６０と、を備えている。
【００１４】
また、ＰＣ２００は、ＵＳＢケーブルにより端末機１００に接続されるＵＳＢポート７０と、該ＵＳＢポート７０から受信されるメッセージをイメージファイルに変換するＰＣ同期プログラム９０と、該ＰＣ同期プログラム９０に従いコンピュータ全体を制御するプロセッサ８０と、を含む。
【００１５】
以下、図１に基づいて本発明に係る移動通信端末機の動作を説明する。
【００１６】
受信部１０にショートメッセージ及びマルチメディアメッセージのようなメッセージが受信されると、制御部２０は、その受信されたメッセージをメモリ３０に格納すると同時に、メッセージが受信されたことを通知する通知メッセージを表示部４０に表示する。ここで、ユーザが受信したメッセージを確認するためにキーパッド５０から命令が入力されると、制御部２０は、メモリ３０に格納された受信メッセージを表示部４０に転送し、該表示部４０は、その受信メッセージを表示する。次に、受信メッセージが端末機１００にサポートできないフォントの文字セット（例：記号、メッセージフォーム、特殊文字など）を含んでいると、これを確認する制御部２０は、当該文字セットをブランクとして処理し、該メッセージを表示部４０に表示する。
【００１７】
ユーザが表示部４０にブランクで表示された文字セットの内容を確認しようとする場合、ユーザは、端末機１００のＵＳＢポート６０とコンピュータ２００のＵＳＢポート７０とをＵＳＢケーブルにより接続し、ＰＣ２００内のＰＣ同期プログラム９０によりメッセージ受信要求命令を端末機１００に転送する。
【００１８】
メッセージ受信要求命令を受信した端末機１００は、該端末機１００に備えられたＰＣ同期機能を利用して該当するメッセージをＵＳＢポート６０からコンピュータ２００に転送する。ＰＣ２００のＵＳＢポート７０から受信されたメッセージは、プロセッサ８０の制御により格納装置（図示せず）に格納され、この格納されたメッセージは、ＰＣ同期プログラム９０により該当フォントのユニコード文字列として表示される。表示中にユーザが、メッセージの内容を確認するために、メッセージをイメージファイルに変換することを要求すると、ＰＣ同期プログラム９０は、当該メッセージをイメージファイルに変換する。
【００１９】
さらに、ユーザがその変換後のイメージファイルを端末機に転送することを要求すると、ＰＣ同期プログラム９０は、メッセージを受信した場合と同様に、イメージファイルをコンピュータのＵＳＢポート７０から端末機１００に転送する。端末機１００は、受信されたイメージファイルをメモリ３０に保存し、該保存イメージファイルが表示部４０に表示されることにより、ユーザは、端末機でサポートできないフォントのメッセージを見ることができる。
【００２０】
図２は、本発明に係る移動通信端末機のメッセージ受信方法を示すフローチャートである。以下、図２に基づいて本発明に係る移動通信端末機のメッセージ受信方法を詳細に説明する。
【００２１】
端末機に、ＰＣやインターネットポータルサイトで作成された多様な文字セットを含むＳＭＳ及びＭＭＳのようなメッセージが受信されると、端末機は、その受信されたメッセージをメモリに格納する（Ｓ１００）。ユーザが格納されたメッセージを見るために端末機に命令を入力すると、端末機は格納されたメッセージを表示部に表示する（Ｓ１０２）。格納されたメッセージの文字が端末機のサポートするフォントに該当すると、端末機は、当該メッセージを正常に表示部に表示し、一方、メッセージの文字が端末機のサポートするフォントに該当しないと、端末機でサポートできないフォントの文字はブランクとして処理し、表示部に表示する（Ｓ１０４，Ｓ１０６）。
【００２２】
表示部にブランクとして処理された文字があると、ユーザは、ブランクとして処理された文字を確認するために、端末機とＰＣをＵＳＢケーブルにより接続し、ＰＣのＰＣ同期プログラムを駆動し、該プログラムを利用して該当メッセージの受信要求命令を端末機に転送する（Ｓ１０８，Ｓ１１０）。メッセージの受信要求命令を受けた端末機は、ＰＣ同期機能を利用して、格納されたメッセージをＵＳＢポートからＰＣに転送する（Ｓ１１２）。メッセージを受信したＰＣは、ユーザにより駆動されたＰＣ同期プログラムを利用して、受信メッセージのブランクとして処理された部分に該当するフォントをユニコード文字列として表示し、ユーザは、前記転送されたメッセージのうちブランクとして処理された文字を確認する（Ｓ１１４，Ｓ１１６）。もし、ＰＣ同期プログラムにもメッセージのブランクとして処理された部分を表示するためのフォントが存在しない場合は、フォントアップデートメッセージをモニタにポップアップすることにより、ユーザが該当フォントをアップデートするように案内する。
【００２３】
メッセージを確認したユーザが端末機を利用して他の端末機に当該メッセージをＭＭＳ又は電子メールで転送しようとする場合、ユーザは、ＰＣ同期プログラムを利用して、ブランクを含むメッセージをイメージファイルに変換することを要求し、ＰＣ同期プログラムは、該当メッセージをイメージファイルに変換する（Ｓ１１８，Ｓ１２０）。メッセージがイメージファイルに変換されると、ユーザは、ＰＣ同期プログラムにより、変換されたイメージファイルを端末機に格納することを要求し、ＰＣ同期プログラムは、変換後のイメージファイルをＵＳＢポートから端末機に転送する（Ｓ１２２，Ｓ１２４）。
【００２４】
端末機は、イメージファイルに変換されて転送されたメッセージを保存し、該保存されたイメージファイルを表示部に表示する（Ｓ１２６，Ｓ１２８）。また、端末機は、当該イメージファイルをＭＭＳ及び電子メールを使用して相手（他の端末機等）に転送し得る。
【図面の簡単な説明】
【００２５】
【図１】本発明に係る移動通信端末機を示す構成図である。
【図２】本発明に係る移動通信端末機のメッセージ受信方法を示すフローチャートである。
【符号の説明】
【００２６】
１０：受信部
２０：制御部
３０：メモリ
４０：表示部
５０：キーパッド
６０，７０：ＵＳＢポート
９０：ＰＣ同期プログラム
【図１】
2006164272.tif 000003
【図２】
2006164272.tif 000004